(57)【要約】【課題】表示器の表示領域の拡張化を図る際に、その表示領域の拡張が容易な上に、全体の消費電力の低減化を実現できる非接触タグの提供。【解決手段】この発明は、アンテナコイル１と、複数のＩＣチップと、表示器２と、を備え、表示器２にデータを表示させる際にその複数のＩＣチップを使用して表示動作を行うようになっている。その複数のＩＣチップは、同一の回路構成からなり、表示器２の表示駆動制御の際に、そのうちの１つのＩＣチップ３をマスタとして動作するように設定し、残りのＩＣチップ４−１〜４−４およびＩＣチップ５−１〜５−４をスレーブとして動作するように設定して使用するようにした。【選択図】  図１
2006276719.tif 000002
【特許請求の範囲】
【請求項１】
リーダライタのアンテナコイルと電磁結合するタグ用アンテナコイルと接続可能な複数のＩＣチップと、
前記複数のＩＣチップを使用して表示データを表示する表示器とを備え、
前記各ＩＣチップは、
前記タグ用アンテナコイルの誘起電圧を直流電圧に変換して電源電圧を生成する電源電圧生成手段と、
前記タグ用アンテナコイルを用いて前記リーダライタとの間でデータの送受信を行う送受信手段と、
前記表示器の表示の際に表示制御を行う表示制御手段と、
前記表示器の表示の際に表示駆動を行う表示駆動手段と、
表示器２にデータを表示の際に、ＩＣチップをマスタまたはスレーブとして動作させることを設定するマスタ／スレーブ設定手段とを有し、
かつ、前記複数のＩＣチップは、マスタ／スレーブ設定手段で、そのうちの１つをマスタとして設定し、マスタ以外の残りをスレイブとして設定して使用するようにしたことを特徴とする非接触タグ。
【請求項２】
前記マスタ／スレーブ設定手段でマスタとして設定されたＩＣチップは、前記電源電圧生成手段、前記送受信手段、前記表示制御手段、および前記表示駆動手段が、前記電源電圧生成手段が生成する電源電圧でそれぞれ動作し、
前記マスタ／スレーブ設定手段でスレイブとして設定されたＩＣチップは、前記表示駆動手段が前記マスタのＩＣチップの前記電源電圧生成手段が生成する電源電圧の供給によって動作するようになっていることを特徴とする請求項１に記載の非接触タグ。
【請求項３】
前記マスタとして設定されたＩＣチップの前記表示制御手段が前記表示器の表示制御を行う場合には、前記スレーブとして設定されたＩＣチップの表示駆動手段は、前記マスタのＩＣチップから出力される表示データを受け取ってシフトレジスタに格納するようになっていることを特徴とする請求項２に記載の非接触タグ。
【発明の詳細な説明】
【技術分野】
【０００１】
本発明は、リーダライタから電力の供給を受けることにより、そのリーダライタとの間で双方向通信ができる非接触タグに関するものである。
【背景技術】
【０００２】
従来、この種の非接触タグの一例として、リーダライタと接近することで電力の供給を受け、そのリーダライタとの間で双方向通信を行うことができる上に、各種の情報を表示できる表示器（表示素子）を備えたものが知られている（例えば、特許文献１参照）。
このように、従来の非接触タグでは、電源電圧生成機能、送受信機能、表示駆動制御機能などを備え、これらの機能を実現するために集積回路化された単一のＩＣチップなどが使用されている。
【０００３】
ところで、非接触タグに搭載される表示器は、その表示内容の増加に伴い表示領域の拡張化が望まれる。この場合に、上記の表記駆動制御機能の拡張化をする必要があるが、その拡張化が容易に実現できることが望まれる。また、その表示領域の拡張化の際に、全体の消費電力をできるだけ低減化できることが望ましい。
【特許文献１】特開２００４−２１２８８号公報
【発明の開示】
【発明が解決しようとする課題】
【０００４】
本発明の目的は、上記の点に鑑み、表示器の表示領域の拡張化を図る際に、その表示領域の拡張が容易な上に、全体の消費電力の低減化を実現できる非接触タグを提供することにある。
【課題を解決するための手段】
【０００５】
上記の課題を解決し本発明の目的を達成するために、各発明は、以下のような構成からなる。
すなわち、第１の発明は、リーダライタのアンテナコイルと電磁結合するタグ用アンテナコイルと接続可能な複数のＩＣチップと、前記複数のＩＣチップを使用して表示データを表示する表示器とを備え、前記各ＩＣチップは、前記タグ用アンテナコイルの誘起電圧を直流電圧に変換して電源電圧を生成する電源電圧生成手段と、前記タグ用アンテナコイルを用いて前記リーダライタとの間でデータの送受信を行う送受信手段と、前記表示器の表示の際に表示制御を行う表示制御手段と、前記表示器の表示の際に表示駆動を行う表示駆動手段と、表示器２にデータを表示の際に、ＩＣチップをマスタまたはスレーブとして動作させることを設定するマスタ／スレーブ設定手段とを有し、かつ、前記複数のＩＣチップは、マスタ／スレーブ設定手段で、そのうちの１つをマスタとして設定し、マスタ以外の残りをスレイブとして設定して使用するようにした。
【０００６】
第２の発明は、第１の発明において、前記マスタ／スレーブ設定手段でマスタとして設定されたＩＣチップは、前記電源電圧生成手段、前記送受信手段、前記表示制御手段、および前記表示駆動手段が、前記電源電圧生成手段が生成する電源電圧でそれぞれ動作し、前記マスタ／スレーブ設定手段でスレイブとして設定されたＩＣチップは、前記表示駆動手段が前記マスタのＩＣチップの前記電源電圧生成手段が生成する電源電圧の供給によって動作するようになっている。
【０００７】
第３の発明は、第２の発明において、前記マスタとして設定されたＩＣチップの前記表示制御手段が前記表示器の表示制御を行う場合には、前記スレーブとして設定されたＩＣチップの表示駆動手段は、前記マスタのＩＣチップから出力される表示データを受け取ってシフトレジスタに格納するようになっている。
以上のような構成からなる本発明によれば、表示器の表示領域の拡張化を図る際に、その表示領域の拡張が容易な上に、全体の消費電力の低減化を実現できる。
【発明を実施するための最良の形態】
【０００８】
以下、本発明の実施形態について、図面を参照して説明する。
図１は、本発明の実施形態の非接触タグの全体の概略構成を示すブロック図である。
この実施形態に係る非接触タグは、図示しないリーダライタ側のアンテナコイルと電磁結合するアンテナコイル１と、複数（この例では９個）のＩＣチップと、表示器２とを備え、表示器２にデータを表示させる際にその複数のＩＣチップを使用して表示動作を行うようになっている。
【０００９】
その複数のＩＣチップは、同一の回路構成からなり、表示器２でデータを表示させる際に、そのうちの１つのＩＣチップ３をマスタとして動作するように設定し、残りのＩＣチップ４−１〜４−４およびＩＣチップ５−１〜５−４をスレーブとして動作するように設定して使用するようにした。
上記の複数のＩＣチップは、いずれも電源電圧生成回路と、送受信回路と、制御回路（表示制御回路）と、表示駆動回路と、マスタ／スレーブ設定回路とを備えている。
【００１０】
ここで、電源電圧生成回路は、アンテナコイル１の誘起電圧を直流電圧に変換して電源電圧を生成する回路である。送受信回路は、アンテナコイル１を用いてリーダライタ（図示せず）との間でデータの送受信を行う回路である。制御回路は、ＩＣチップを構成する各部を制御する回路であり、表示器２でデータを表示させる際に行う表示制御を含んでいる。表示駆動回路は、表示器２にデータを表示させる際にその表示器２の駆動を行う回路であり、シフトレジスタを有している。
【００１１】
マスタ／スレーブ設定回路は、表示器２にデータを表示の際に、ＩＣチップをマスタとして使用するかスレーブとして使用するかを設定するための回路である。
このマスタ／スレーブ設定回路でＩＣチップがマスタとして使用することが設定された場合には、そのＩＣチップは電源電圧生成回路、送受信回路、制御回路、および表示駆動回路がそれぞれ動作するようになっている。この場合には、電源電圧生成回路で生成された電源電圧でその各部が駆動される。
【００１２】
一方、そのマスタ／スレーブ設定回路でＩＣチップがスレーブとして使用することが設定された場合には、そのＩＣチップは表示駆動回路のみが動作するようになっている。この場合には、表示駆動回路はマスタとして設定されているＩＣチップの電源電圧生成回路で生成された電源電圧を使用して駆動される。
次に、図１に示す複数のＩＣチップの構成の詳細について、図２を参照しながら説明する。
【００１３】
ＩＣチップ３は、図２に示すように、アンテナコイル１を接続するアンテナ接続端子ＡＮＴＡ，ＡＮＴＢと、正の電源電圧ＶＤＤと負の電源電圧ＶＳＳの出力または入力が可能な電源端子と、アナログ昇圧用クロックＣＬＫＯＵＴの出力または入力が可能な端子（ＣＬＫ）と、イネーブル信号ＳＥＮの出力または入力が可能なイネーブル端子と、チップセレクト信号ＸＣＳの出力または入力が可能なチップセレクト端子と、ＩＣチップ３がマスタまたはスレーブとして動作するかを任意に設定するマスタ／スレーブ端子ＭＳＳＥＬと、を備えている。
【００１４】
また、ＩＣチップ３は、図２に示すように、クロック信号ＳＣＫｘ１〜ＳＣＫｘ４およびクロック信号ＳＣＫｙ１〜ＳＣＫｙ４の出力または入力が可能なクロック端子と、データ信号ＳＤＡＴｘ１〜ＳＤＡＴｘ４およびデータ信号ＳＤＡＴｙ１〜ＳＤＡＴｙ４の出力または入力が可能なデータ端子と、を備えている。
ＩＣチップ４−１〜４−４およびＩＣチップ５−１〜５−４は、ＩＣチップ３と同様に各端子を備えているが、図２はそれらがスレーブとして動作する場合であるので、そのために必要なものだけが記載されている。
【００１５】
さらに詳述すると、図２に示すように、ＩＣチップ３の正の電源電圧ＶＤＤと負の電源電圧ＶＳＳに係る電源端子と、アナログ昇圧用クロックＣＬＫＯＵＴに係る端子と、イネーブル信号ＳＥＮに係るイネーブル端子と、チップセレクト信号ＸＣＳに係るチップセレクト端子とは、ＩＣチップ４−１〜４−４およびＩＣチップ５−１〜５−４の対応する端子にそれぞれ電気的に接続されている。
【００１６】
また、ＩＣチップ３のクロック信号ＳＣＫｘ１〜ＳＣＫｘ４に係る各クロック端子と、データ信号ＳＤＡＴｘ１〜ＳＤＡＴｘ４に係る各データ端子とが、ＩＣチップ４−１〜４−４の対応する各クロック端子と各データ端子とにそれぞれ接続されている。
さらに、ＩＣチップ３のクロック信号ＳＣＫｙ１〜ＳＣＫｙ４に係る各クロック端子と、データ信号ＳＤＡＴｙ１〜ＳＤＡＴｙ４に係る各データ端子とが、ＩＣチップ５−１〜５−４の対応する各クロック端子と各データ端子とにそれぞれ接続されている。
【００１７】
次に、このような構成からなる複数のＩＣチップの使用例について説明する。
図２では、ＩＣチップ３は、マスタとして使用するようにマスタ／スレーブ設定回路で設定する必要がある。この設定は、図示のように、マスタ・スレーブ設定端子ＭＳＳＥＬを接地することにより実現される。
ＩＣチップ４−１〜４−４、およびＩＣチップ５−１〜５−４は、各マスタ／スレーブ設定回路でスレーブとして使用するように設定する必要がある。この設定は、図示のように、各ＩＣチップのマスタ・スレーブ設定端子ＭＳＳＥＬに電源電圧ＶＤＤを印加することにより実現される。
【００１８】
これにより、ＩＣチップ３の電源端子は電源電圧を出力し、クロック端子やデータ端子などはクロック信号やデータ信号などを出力できるようになる。一方、ＩＣチップ４−１〜４−４、およびＩＣチップ５−１〜５−４の電源端子にはそのＩＣチップ３からの電源電圧が入力できるとともに、それらのクロック端子やデータ端子などにはＩＣチップ３からのクロック信号やデータ信号などが入力できるようになる。
【００１９】
この結果、マスタとして動作するＩＣチップ３は、その内部の電源電圧生成回路で電源電圧ＶＤＤ，ＶＳＳを生成して自己の電源電圧にするともに、その生成した電源電圧ＶＤＤ，ＶＳＳがＩＣチップ４−１〜４−４およびＩＣチップ５−１〜５−４にそれぞれ供給され、これにより各ＩＣチップが動作する。
また、ＩＣチップ３は、イネーブル信号ＳＥＮ、チップセレクト信号ＸＣＳを生成し、これらをＩＣチップ４−１〜４−４およびＩＣチップ５−１〜５−４にそれぞれ供給する。さらに、ＩＣチップ３は、クロック信号ＳＣＫｘ１〜ＳＣＫｘ４およびデータ信号ＳＤＡＴｘ１〜ＳＤＡＴｘ４を、対応するＩＣチップ４−１〜４−４にそれぞれ供給する。また、ＩＣチップ３は、クロック信号ＳＣＫｙ１〜ＳＣＫｙ４およびデータ信号ＳＤＡＴｙ１〜ＳＤＡＴｙ４を、対応するＩＣチップ５−１〜５−４にそれぞれ供給する。
【００２０】
次に、この実施形態において、表示器２に表示データを表示する場合の複数のＩＣチップの各動作について、図１〜図３を参照して説明する。
この例では、表示器２が電気泳動ディスプレイであり、その表示領域が３２０画素×２４０画素であって、１ライン分の３２０個の表示データを表示させる場合について説明する。この場合には、ＩＣチップ３、ＩＣチップ４−１〜４−４、およびＩＣチップ５−１〜５−４のうちの１つ（この例では、ＩＣチップ５−１とする）が使用される。
【００２１】
ＩＣチップ３は、図３に示すように、チップセレクト信号ＸＣＳを立ち下げたのち、クロック信号ＳＣＫｘ１と表示データ信号ＳＤＡＴｘ１とをＩＣチップ４−１にそれぞれ出力する。これにより、ＩＣチップ４−１のシフトレジスタには、クロック信号ＳＣＫｘ１に同期して６４個の表示データＤ１，Ｄ２・・・Ｄ６３が順次格納されていく。
その後、ＩＣチップ３は、クロック信号ＳＣＫｘ２と表示データ信号ＳＤＡＴｘ２とをＩＣチップ４−２にそれぞれ出力し、クロック信号ＳＣＫｘ３と表示データ信号ＳＤＡＴｘ３とをＩＣチップ４−３にそれぞれ出力し、さらにクロック信号ＳＣＫｘ４と表示データ信号ＳＤＡＴｘ４とをＩＣチップ４−４にそれぞれ出力する（図３参照）。
【００２２】
これにより、ＩＣチップ４−２〜４−４の各シフトレジスタには、クロック信号ＳＣＫｘ２〜ＳＣＫｘ４にそれぞれ同期して表示データＤ１，Ｄ２・・・Ｄ６３が順次格納されていく。
なお、これらの動作は、ＩＣチップ３についても所定のタイミングで行われ、ＩＣチップ３のシフトレジスタに６４個の表示データが順次格納されていく。
【００２３】
これらの動作に並行して、ＩＣチップ３は、図３に示すように、チップセレクト信号ＸＣＳを立ち下げたときに、クロック信号ＳＣＫｙ１とデータ信号ＳＤＡＴｙ１とをＩＣチップ５−１にそれぞれ出力する。これにより、ＩＣチップ５−１のシフトレジスタには、クロック信号ＳＣＫｙ１に同期して６４個のデータＤ１，Ｄ２・・・Ｄ６３が順次格納されていく。
【００２４】
ここで、クロック信号ＳＣＫｙ１の周波数は、クロック信号ＳＣＫｘ１の周波数の１／５である。
その後、ＩＣチップ３は、チップセレクト信号ＸＣＳを立ち上げたのち、イネーブル信号ＳＥＮを立ち上げると、ＩＣチップ３およびＩＣチップ４−１〜４−４の各シフトレジスタに格納されている各表示データと、ＩＣチップ５−１のシフトレジスタに格納されているデータとが、表示器２に出力される。これにより、表示器２の表示面には１ライン分の表示データが表示される。
【００２５】
以上説明したように、この実施形態では、複数のＩＣチップが同一の回路構成、例えば電源電圧生成回路と、送受信回路と、制御回路と、表示駆動回路と、マスタ／スレーブ設定回路とを備えるようにした。
そして、その複数のＩＣチップのうち、１つのＩＣチップ３をマスタとして動作するように設定し、残りのＩＣチップ４−１〜４−４およびＩＣチップ５−１〜５−４をスレーブとして動作するように設定するようにした。
【００２６】
これにより、マスタの制御回路は、表示器２に表示データを表示する際に、スレーブの表示駆動回路に表示データなどを転送してそのシフトレジスタに格納する制御を行い、スレーブはそれを受け取るだけで良い。
従って、この実施形態によれば、表示器２の表示領域の拡張化を図る際に、その表示領域の拡張が容易な上に、全体の消費電力の低減化を実現できる。
【図面の簡単な説明】
【００２７】
【図１】本発明の非接触タグの実施形態の構成を示すブロック図である。
【図２】図１の複数のＩＣチップの構成の詳細を説明する図である。
【図３】図２の複数のＩＣチップが表示器に表示データを表示する場合の各部の波形などを示す図である。
【符号の説明】
【００２８】
１・・・アンテナコイル、２・・・表示器、３・・・ＩＣチップ（マスタ）、４−１〜４−４・・・ＩＣチップ（スレーブ）、５−１〜５−４・・・ＩＣチップ（スレーブ）
【図１】
2006276719.tif 000003
【図２】
2006276719.tif 000004
【図３】
2006276719.tif 000005